(57)【特許請求の範囲】
【請求項１】
放電空間を介して対向配置された一対の基板の内の表示面側の基板の内面上に、透明導電膜と前記透明導電膜の前記放電ギャップとは反対側の縁部に配置された金属層とからなる行電極と、前記行電極上に設けられた誘電体層とを有し、背面面側の基板の内面上に前記行電極と交差する方向に伸びる列電極と、前記放電空間に対して前記列電極を覆う帯状の各色の蛍光体層とを有し、前記表示面側の基板に前記各色の蛍光体層に対応するカラーフィルタ層を設けたプラズマディスプレイパネルであって、
前記カラーフィルタ層を前記表示面側の基板と前記透明導電膜と間でかつ前記金属層と重ならない領域に島状に設け、前記金属層を前記カラーフィルタ層と略同一層となるように前記カラーフィルタ層の領域に配置したことを特徴とするプラズマディスプレイパネル。
【請求項２】
前記行電極の伸長方向において、前記カラーフィルタ層の間の領域に、島状にパターニングされた遮光性材料層を設けたことを特徴とする請求項１記載のプラズマディスプレイパネル。
【発明の詳細な説明】
【０００１】
【産業上の利用分野】
本発明は、プラズマディスプレイパネル（ＰＤＰ）に関する。
【０００２】
【従来の技術】
近年、大型で且つ薄型のカラー表示装置として面放電型ＰＤＰの実用化が期待されている。図７は従来の面放電型ＰＤＰの行電極２、２の構造を模式的に示す平面図であり、図８及び図９は、従来の面放電型ＰＤＰの内部構造を示す断面図である。
【０００３】
図７において、対をなす行電極２，２は、マトリクス表示の１ライン（行）Ｌに対応し、各ラインＬにおいて放電ギャップＧを挟んで隣接するように列方向に配列されている。各ラインＬでは、行電極２，２と図示せぬ列電極との交差部にて単位発光領域、すなわち画素セル（放電セル）が画定される。
【０００４】
図８は図７のＶ−Ｖ方向の断面構造及び図９は図７のＷ−Ｗ方向の断面構造を示している。図において、表示面側となる前面ガラス基板１には、後述する各色の蛍光体層７に対応して帯状にパターニングされたカラーフィルタ層を構成する無機顔料層４１、無機顔料層４１を覆う透明なオーバーコート層４２、複数の行電極２，２、行電極２，２を被覆する誘電体層３、誘電体層３を被覆するＭｇＯからなる保護層４が順に形成されている。行電極２は、幅の広いＩＴＯ等の帯状の透明導電膜からなる透明電極２ａとその導電性を補う幅の狭い金属層からなる金属電極（バス電極）２ｂとから構成されている。
【０００５】
一方、放電空間８を介して対向配置される背面側の背面ガラス基板５には、行電極対２，２と直交する方向に配列され、各交差部にて画素セルを形成する列電極６、列電極６間に帯状に設けられ放電空間８を区画する隔壁９、列電極６及び隔壁９の側面を放電空間８に対して被覆するように帯状に設けられた蛍光体層７が形成されている。放電空間８内には、希ガスが注入封入されている。
【０００６】
このように構成された面放電型のＰＤＰを表示するに際しては、先ず、列電極６と対をなす一方の行電極２との間の選択的放電によるアドレス操作によって点灯セル（壁電荷が形成されたセル）及び消灯セル（壁電荷が形成されなかったセル）が選択される。アドレス操作の後、全ラインＬに一斉に、対をなす行電極
２，２に対して交互に放電維持パルスを印加することにより、点灯セルにおいて放電維持パルスが印加される毎に面放電が生じる。この面放電で生じた紫外線によって蛍光体層７を励起し、可視光を発光させている。
【０００７】
【発明が解決しようとする課題】
従来のＰＤＰでは、上述のように外光コントラストと色純度の改善のために、前面ガラス基板１の内面に無機顔料のみからなる層をスクリーン印刷などにより帯状にパターニングしてカラーフィルタ層４１を形成し、その上にオーバーコート層４２、行電極２、誘電体層３を順に形成している。
【０００８】
このようなカラーフィルタ層４１を形成する場合、製造上のばらつきや光学特性上の要求からＲ，Ｇ，Ｂの各色のカラーフィルタ層４１の厚さを同一にして揃えることが困難であり、また、カラーフィルタ層４１が帯状にパターニングされているため、図９に示すように保護層４の表面に段差（凹凸）が生じる。このような段差をなくし表面を平坦にするためにカラーフィルタ層４１上にオーバーコート層４２を形成しているが平坦化を完全に行うことは難しく、数ミクロン程度の段差が残る。
【０００９】
また、金属層を銀ペーストの塗布、パターニングにより形成した場合、その厚さが数ミクロン程度となるため、図８に示すように保護層４の表面に段差（凹
凸）が生じる。このような段差があると、隔壁９と保護層４の間に隙間が生じやすくなり、透明電極２ａが帯状にパターニングされている場合この隙間を介して放電が隣接する放電セルに広がり、誤放電が生じ易くなるという問題があった。
【００１０】
本発明は上述の問題に鑑みなされたもので、カラーフィルタを用い、外光コントラストと色純度の改善するとともに誤放電を防止し、デイスプレイとしての信頼性を向上させることを目的とする。
【００１１】
【課題を解決するための手段】
請求項１に記載のプラズマディスプレイパネルは、放電空間を介して対向配置された一対の基板の内の表示面側の基板の内面上に、透明導電膜と前記透明導電膜の前記放電ギャップとは反対側の縁部に配置された金属層とからなる行電極と、前記行電極上に設けられた誘電体層とを有し、背面面側の基板の内面上に前記行電極と交差する方向に伸びる列電極と、前記放電空間に対して前記列電極を覆う帯状の各色の蛍光体層とを有し、前記表示面側の基板に前記各色の蛍光体層に対応するカラーフィルタ層を設けたプラズマディスプレイパネルであって、前記カラーフィルタ層を前記表示面側の基板と前記透明導電膜と間でかつ前記金属層と重ならない領域に島状に設け、前記金属層を前記カラーフィルタ層と略同一層となるように前記カラーフィルタ層の領域に配置したことを特徴とする。
【００１２】
請求項２の発明のプラズマディスプレイパネルは、請求項１記載のプラズマディスプレイパネルであって、行電極対の伸長方向において、島状のカラーフィルタ層の間の領域に、島状にパターニングされた遮光性材料層を設けたことを特徴とする。
【００１３】
【作用】
請求項１の発明によれば、カラーフィルタ層を金属層に重ならないように島状に設け、金属層を前記カラーフィルタ層と略同一層となるようにカラーフィルタ層の間の領域に配置しているので、金属層による凹凸が抑制される。また、請求項２の発明によれば、島状のカラーフィルタ層の間の領域に島状にパターニングされた遮光性材料層に設けることにより、外光反射率の増大を抑制しかつカラーフィルタ層による凹凸をより少なくすることができる。
【００１４】
【発明の実施の形態】
図１乃至図４は、本発明の第１の実施形態によるＰＤＰの構成を示す図であ
る。図１は、面放電型ＰＤＰの構造を模式的に示す平面図である。
図１において、対をなす行電極２，２は、マトリクス表示の１ライン（行）Ｌに対応し、各ラインＬにおいて放電ギャップＧを挟んで隣接するように列方向に配列されている。各ラインＬでは、行電極２，２と図示せぬ列電極との交差部にて単位発光領域、すなわち画素セル（放電セル）が画定される。行電極２，２
は、帯状の透明導電膜からなる透明電極２ａとその導電性を補う幅の狭い金属層からなる金属電極（バス電極）２ｂとからなり、金属電極２ｂは銀ペーストの塗布、パターニングにより形成され、その厚さが数ミクロン程度で透明電極２ａの放電ギャップＧとは反対側の縁部に積層されている。
【００１５】
カラーフィルタ層を構成する無機顔料のみからなる層４１Ｒ，４１Ｇ，４１Ｂは、数ミクロン程度の厚さを有し、後述する背面側のガラス基板に設けられる各色の蛍光体層に対応して表示面側の基板に設けられている。無機顔料層４１Ｒ，４１Ｇ，４１Ｂは、行電極の伸長方向とは直交する方向（列電極の伸長方向）において、金属電極２ｂと重ならないように金属電極２ｂに対応する部分を除く領域に島状、例えば矩形状にパターニングされている。そして、島状の各無機顔料層４１Ｒ，４１Ｇ，４１Ｂの間の領域、すなわち行電極の伸長方向とは直交する方向において無機顔料層が形成されていない領域に金属電極２ｂが配置されている。また、行電極２，２の伸長方向において、島状の無機顔料層４１の間の領域に島状にパターニングされた遮光性材料層４３をブラックストライプ層として設けている。
【００１６】
図２は図１のＶ−Ｖ方向の断面構造、図３は図１のＷ−Ｗ方向の断面構造及び図４は図１のＸ−Ｘ方向の断面構造を示している。各図において、表示面側となる前面ガラス基板１には、上述のように島状にパターニングされたカラーフィルタ層を構成する無機顔料層４１、無機顔料層４１を覆う透明なオーバーコート層４２、複数の対をなす行電極２，２、行電極２，２を被覆する誘電体層３、誘電体層３を被覆するＭｇＯからなる保護層４が順に形成されている。
【００１７】
一方、放電空間８を介して対向配置される背面側の背面ガラス基板５には、行電極２，２と直交する方向に配列され、各交差部にて画素セルを形成する列電
極６、列電極６間に帯状に設けられ放電空間８を単位発光領域毎に区画する隔壁９、列電極６及び隔壁９の側面を放電空間８に対して被覆するように帯状に設けられた蛍光体層７が形成されている。放電空間８内には、希ガスが注入封入されている。
【００１８】
上述の第１の実施形態のＰＤＰは、前面ガラス基板１と行電極の間にカラーフィルタ層を形成した構成を示し、無機顔料層４１を矩形状にパターニングすることにより、図２に示すように列電極の伸長方向において無機顔料層４１の無い部分（溝部）を所定の間隔で形成し、この溝部内に金属電極２ｂを埋め込むことにより、図２及び図３に示すように金属電極２ｂによる段差を少なくすることができる。また、図３に示されるように、行電極２，２の伸長方向において、島状の無機顔料層４１の間の領域に島状にパターニングされ遮光性材料層４３をブラックストライプ層として埋め込むことにより、外光反射を抑制しかつ無機顔料層４１による段差を少なくすることができる。
【００１９】
図５及び図６は、本発明の第２の実施形態によるＰＤＰの構成を示す図であ
る。図５は、第２の実施形態による面放電型ＰＤＰの構造を模式的に示す平面図である。
図６において、行電極２，２は、表示ラインＬ方向に伸びる帯状の金属層からなる金属電極２ｂと、放電ギャップＧを挟んで互いに対向する突出部、すなわち透明導電膜からなる透明電極２ａとから構成されている。透明電極２ａは、放電ギャップＧ近傍の幅広部とそれに続く狭小部２２２とで構成されＴ字状となっている。このＴ字状の透明導電膜からなる透明電極２ａは、その放電ギャップＧとは反対側の縁部で金属層からなる金属電極２ｂと電気的に接続されるように重なっている。
【００２０】
カラーフィルタ層を構成する無機顔料のみからなる層４１Ｒ，４１Ｇ，４１Ｂは、図１の第１の実施形態と同様に、行電極の伸長方向とは直交する方向（列電極の伸長方向）において、金属電極２ｂと重ならないように金属電極２ｂに対応する部分を除く領域に島状、例えば矩形状にパターニングされている。そして、島状の各無機顔料層４１Ｒ，４１Ｇ，４１Ｂの間の領域、すなわち行電極の伸長方向とは直交する方向において無機顔料層が形成されていない領域に金属電極２ｂが配置されている。
【００２１】
図６は、    図５のＶ−Ｖ矢印方向の断面構造を示している。図において、表示面側のガラス基板１の内面上には、上述のように島状にパターンニングされたカラーフィルタ層を構成する無機顔料層４１、無機顔料層４１を覆う透明なオーバーコート層４２、複数の対をなす行電極２，２が順に形成されており、これら行電極２，２を放電空間８に対して被覆するように誘電体層３が設けられている。誘電体層３の表面には、酸化マグネシウム（ＭｇＯ）からなる保護層４が形成されている。
【００２２】
一方、背面側のガラス基板５の内面上には、放電空間８を表示ライン方向Ｌに単位発光領域１２毎に区画するように帯状の隔壁９が設けられている。隔壁９の間に行電極対２，２と直交する方向に列電極６が１本ずつ配置されている。列電極６及び隔壁９の側面を覆うように３原色の蛍光体層７Ｒ，７Ｇ，７Ｂが設けられている。
【００２３】
上述の第２の実施形態のＰＤＰにおいて、第１の実施形態のＰＤＰとの相違点は、行電極２上にカラーフィルタ層を形成したこと及び透明電極２ａを単位発光領域毎に独立させたことにある。このように行電極２上にカラーフィルタ層を形成した場合でも、第１の実施形態のＰＤＰと同様に無機顔料層４１を矩形状にパターニングすることにより、図６に示すように列電極の伸長方向において無機顔料層４１の無い部分（溝部）が所定の間隔で形成され、この溝部内に金属電極２ｂを配置することにより、金属電極２ｂによる段差を少なくすることができる。また、透明電極を単位発光領域毎に独立させたことにより、隔壁９と保護層４の間に隙間が生じたとしても、この隙間を介して放電が隣接する放電セルに飛び移る可能性がより一層少なくなる。
【００２４】
上述の第１の実施形態では、透明電極２ａ上に金属電極２ｂを積層する構成を例示したがこれに限らず金属電極２ｂを列電極の伸長方向において無機顔料層４１の無い部分（溝部）に先に埋め込むように形成した後、透明電極２ａを形成するようにしても良い。また、上述の各実施形態では、カラーフィルタ層をパターニングされた無機顔料層で構成しその上にオーバーコート層を設ける構成を例示したが、これに限らずカラーフィルタ層を、無機顔料等とガラス粉末を混合させたガラスペーストをパターニングして形成するようにしても良い。
【００２５】
【発明の効果】
本発明によれば、カラーフィルタ層を金属層に重ならないように島状に設け、金属層を前記カラーフィルタ層と略同一層となるようにカラーフィルタ層の間の領域に配置しているので、金属層による凹凸が抑制され、パネルの信頼性を向上することができる。
【図面の簡単な説明】
【図１】本発明の第１の実施形態による面放電型ＰＤＰの構造を模式的に示す平面図である。
【図２】図１のＰＤＰのＶ−Ｖ方向の断面図である。
【図３】図１のＰＤＰのＷ−Ｗ方向の断面図である。
【図４】図１のＰＤＰのＸ−Ｘ方向の断面図である。
【図５】本発明の第２の実施形態による面放電型ＰＤＰの構造を模式的に示す平面図である。
【図６】図５のＰＤＰのＶ−Ｖ方向の断面図である。
【図７】従来の面放電型ＰＤＰの構造を模式的に示す平面図である。
【図８】図７のＰＤＰのＶ−Ｖ方向の断面図である。
【図９】図７のＰＤＰのＷ−Ｗ方向の断面図である。
【符号の説明】
１・・・前面ガラス基板
２・・・行電極
２ａ・・透明電極
２ｂ・・金属電極
３・・・誘電体層
４・・・保護膜
５・・・背面ガラス基板
６・・・列電極
７・・・蛍光体層
８・・・放電空間
９・・・隔壁
４１Ｒ，４１Ｇ，４１Ｂ・・カラーフィルタ層
４２・・オーバーコート層
Ｇ・・放電ギャップ
【図１】
0003597985.tif 000002
【図２】
0003597985.tif 000003
【図３】
0003597985.tif 000004
【図４】
0003597985.tif 000005
【図５】
0003597985.tif 000006
【図６】
0003597985.tif 000007
【図７】
0003597985.tif 000008
【図８】
0003597985.tif 000009
【図９】
0003597985.tif 000010